(57)【要約】【課題】現在携帯入力電子機器の日本語入力においては、現行の携帯電話の入力方式が圧倒的に有力であるが、この方式は電子辞書など他の携帯入力電子機器の入力方式としては採用されていない。【解決手段】パーソナルコンピューターにおける森田方式の長所を十分に踏まえながら、３行５列の入力鍵盤を子音鍵盤と母音鍵盤にわけ、入力とともに鍵盤が自動的に交代する方式を採用し、打鍵時のポーズを入力の要素に組み入れることによって鼻音（撥音）、促音、拗音の入力を行い、母音鍵盤に単母音とともに、二重母音、「ん」つき母音を置き、これらの音を含む漢字の入力を、仮名と同様に２打鍵でしかも五段の母音、あいうえおの枠にしたがって入力することを可能にする。【選択図】図１
2015154477.tif 000002
【特許請求の範囲】
【請求項１】
３行５列のアルファベット鍵盤による日本語入力方式において、入力する字母あるいは字母群を母音鍵盤と子音鍵盤に分けて、入力とともにこの二つの鍵盤が自動的に交替する入力方式を採用した場合に、その母音鍵盤に置く鍵を、ａ  ｉ  ｕ  ｅ  ｏ、ａｎｎ  ｉｎｎ  ｕｎｎ  ｅｎｎ  ｏｎｎ、ａｉ  ｕｉ  ｕｕ  ｅｉ  ｏｕ、の１５の鍵から構成した携帯入力電子機器の日本語入力方式。
【請求項２】
〔請求項１〕の原理によって構成された３行５列のアルファベット鍵盤による日本語入力方式において、母音鍵の押し下げが終わった時点で次の子音鍵を押し下げる前にポーズを置くと、鍵盤交替とは無関係に促音記号の小型の「っ」を表示するためのｔが入力され、子音鍵の押し下げが終わった時点で次の母音鍵を押し下げる前にポーズを置くと、鍵盤交替とは無関係に拗音化のためのｙが入力され、子音鍵盤のｎを押し下げた時点でやや長いポーズを置き、母音鍵盤の同じ位置に置かれた母音鍵を押し下げると、鍵盤交替とは無関係にｎｎが入力されるように設定した携帯入力電子機器の日本語入力方式。
【発明の詳細な説明】
【技術分野】
【０００１】本発明は、携帯入力端末の日本語入力方式に関するものである。
【背景技術】
【０００２】本発明の中心的課題は、アルファベット入力を採用する３行５列の鍵盤において、広義の母音鍵盤と子音鍵盤がその入力に応じて自動交代する方式の改善によって、日本語の音韻体系を全面的に反映する携帯入力端末の入力方式を確立する点にある。【０００３】一般的に言って、日本語の音韻体系を反映する電子機器の入力方式としては、パーソナルコンピューターの場合のＮＥＣの森田方式とこれを改善しながら携帯入力端末に応用した後に示す特許文献１の場合、および一般的な携帯電話の場合における通常の五十音図に基づいた入力方式の２種類がある。【０００４】周知のように、欧米諸国での携帯電話でのメールの使用は、きわめて低調であり、わが国におけるその盛行とは対照的である。【０００５】このような事情の背景には、携帯電話における日本語入力が五十音図を基礎として組み立てられているという事実がある。【０００６】言い換えれば、携帯電話における日本語入力は日本語の音韻体系を反映する形で行われているのであり、このことが、その良好なヒューマンインターフェイスを保障しているのである。【０００７】このような、携帯電話の入力方式は、３行３列の鍵盤に配置された９個の鍵と別の１個の鍵を使用する形で行われるいわゆるテンキー方式である。【０００８】この優れた方式は、それにもかかわらず、いくつかの問題点を抱えている。【０００９】その主要な問題点は、五十音の各行の入力が、標準的な場合に最低１回から５回、小型の字形を含む「あ行」の場合には、最低１回から１０回の鍵の押し下げが必要であり、総計で８０種類のキーストロークが必要であり、これをアルファベットによる英文入力の場合の２６種類のキーストロークに対して、単に機械的物理的な面から見ると著しく煩瑣である点があげられる。【００１０】わが国の携帯電話の五十音に基づく入力が、このような問題点を持ちながら、そして不当にもガラパゴス的と嘲笑されながら、圧倒的な実用性を誇っているのは、それが五十音という日本語の音韻体系を反映する入力方式となっているからである。【００１１】一方、森田方式は、五十音を基礎とした入力方式としては、現今の携帯電話のそれに先立った優れた方式であり、現在、森田方式の達成点と失敗点を確認することは、重要な意味を持っている。【００１２】森田方式の特色は、五十音の重視と省鍵打法という２点にまとめられる。【００１３】前者は、本発明が受け継ぎ、さらに発展させようとする重要なポイントであるが、後者には重要な問題点が隠されている。【００１４】端的に言えば、それは日本語の音韻体系との照応という優れた観点と、単純な物理的機械的な観点に立ってヒューマンインターフェイスを無視する方法が混在している点に表現されている。【００１５】森田方式が、省打鍵とするなかで、本発明に関連するのは、第一に、ａｉ、ｅｉ、ｏｕの３個の鍵を正規の鍵盤に置いて、たとえば第一というときの第の字を、ｄ＋ａｉの２打鍵で入力し、正規というときの正の字をｓ＋ｅｉの２打鍵で入力し、省打鍵というときの省の字を、ｓ＋ｙ＋ｏｕの３打鍵で入力し、その結果、一般的な入力に対して１打鍵を省略するというものである。【００１６】第二は、子音シフト鍵によって呼び出される、ａｎｎ、ｉｎｎ、ｕｎｎ、ｅｎｎ、ｏｎｎの鍵を子音シフト鍵と同時に押し下げることで、たとえば鍵盤の盤をｂ＋ａｎｎの２打鍵で、音韻の韻をｉｎｎの１打鍵で、英文の文をｂ＋ｕｎｎの２打鍵で、鍵盤の鍵をｋ＋ｅｎｎの２打鍵で、日本の本をｈ＋ｏｎｎの２打鍵で入力し、その結果、一般的な入力に対して２打鍵を省略するというものである。【００１７】第一の方式の問題については、すでに特許文献１が、日本語の二重母音にはａｉ、ｅｉ、ｏｕ、だけではなく、ｕｉ、ｕｕ、が存在していることを指摘している。【００１８】第二の母音＋「ん」の字の入力については、微妙で重要な問題が残されている。【００１９】一般的な入力においては、字母鍵盤に置かれた字母入力鍵を、たとえば、ｋｅｎｎ、ｂａｎｎと入力するのであって、その入力はルーティンな順次４打鍵の操作であるのに対して、森田方式が主張する方法は、字母鍵盤以外の場所に置かれたシフト鍵を、字母鍵盤の打鍵と同時に打鍵するというものである。【００２０】これは、単に機械的物理的な操作としては、２打鍵の省略になるが、ヒューマンインターフェイスの観点から言えば、シフト鍵を押し下げるのには１打鍵が必要である上、一般的には順次の打鍵をこの場合に限って同時に打鍵するというのは入力のリズムを狂わせる相当に重い負担であり、さらに打鍵の場所が通常の字母打鍵の鍵盤以外の場所であることは、その負担をさらに増加させるものである。【００２１】ヒューマンインターフェイスの観点から言えば、字母入力を字母鍵盤で順次行うということは、一種の閉じられたシステムを構成するのであって、この問題については、森田方式はこの人間的心理的システムを機械的物理的な観点から否定しているのである。【００２２】ただし、森田方式がここで「ん」が、必ず単母音と結びつき、またすべての単母音と結びつくとして、ａｎｎ、ｉｎｎ、ｕｎｎ、ｅｎｎ、ｏｎｎ、の５個の鍵を広義の母音鍵として設定していることには、大きな意味がある。【００２３】以上によって、森田方式の２側面である五十音への対応と省打鍵のうち、前者はきわめて優れた発想でありながら、二重母音の選定において不完全さを残し実用面では問題があること、後者は機械的物理的観点から心理的観点を否定する負の発想であることがわかった。【００２４】そもそも字母入力とは、人間文化の中核をなす言語を字母体系を通じて電子機器にｉｎｐｕｔする行為であり、字母入力の設計は言語と字母の体系に対応する形でなされるべき問題であり、こうしてｉｎｐｕｔされた内容が機械言語に書き換えられる過程で、機械的物理的な要素が中核となるべきである状態とは、次元が異なっているのであって、この点への意識的対応が字母入力方式の核心である。【００２５】これまでの電子機器の入力方式のなかで、森田方式は現在一般的な携帯電話の入力方式と並んで、言語と字母の体系に注意を集中したもっとも優れた方式であったが、なおこの点への配慮を欠く面がその欠陥となっているのである。【００２６】一方、すでに述べたように、特許文献１として示す特許４７６１２３４は、携帯入力電子機器の入力方式に関する発明であるが、そこでは、森田方式が無視したｕｉ、ｕｕが加えられ、二重母音として、ａｉ、ｕｉ、ｕｕ、ｅｉ、ｏｕの５鍵が設定されており、二重母音の入力の問題が解決されている。
【先行技術文献】
【００２７】
【特許文献１】特許４７６１２３４
【特許文献２】特願平０５−２１６５７５
【特許文献３】特願平０６−０４３９８６
【特許文献４】特願平０６−０６７７７７
【特許文献５】特願平０９−１９０２５３
【発明の概要】
【発明が解決しようとする問題】
【００２８】以上によって、本発明の課題は、森田方式と特許文献１の長所を受け継ぎ、その短所を補正して、日本語の音韻体系に全面的に照応する入力方式を設計することである。
【００２９】これまでに本発明が言及しなかったし、森田方式もまたそれとして明言してはいない森田方式の長所として、日本語入力鍵を子音と広義の母音に分けて構成した点をあげることができる。
【００３０】いま、この観点から本発明が基本的に受け継ぐ日本語の広義の母音群を改めて設定する。
【００３１】第一群は、当然のことながらａ、ｉ、ｕ、ｅ、ｏの５個の単母音である。
【００３２】第二群は、ａ、ｉ、ｕ、ｅ、ｏの単母音のそれぞれに、尾子音「ん」をつけたａｎｎ、ｉｎｎ、ｕｎｎ、ｅｎｎ、ｏｎｎの５音である。
【００３３】第三群は、ａ、ｉ、ｕ、ｅ、ｏ、の単母音のそれぞれにゆるやかに対応するａｉ、ｕｉ、ｕｕ、ｅｉ、ｏｕの５個の二重母音である。
【００３４】以上によって、本発明が採用する日本語の広義の母音を分類すると、１、あいうえお。２、あん、いん、うん、えん、おん。３、あい、うい、うう、えい、おう、の３種類１５個となり、本発明においては、これらの１５個の音を入力する１５の鍵から広義の母音鍵盤を構成する。
【００３５】注目すべきことは、１、２、の場合にはいずれも、あいうえお、の五音が主軸となっており、３、の場合には、あいうえお、にほぼ対応する五音がそろっていることである。
【００３６】以上の結果は、日本語の音韻体系の基本となるのは五十音、とりわけあいうえお、の五音であることを示している。
【００３７】なお、念のために付記すれば、本発明における広義の母音という概念は、本発明者が恣意的に作り出した概念ではなく、中国語の場合の、声母と韻母の概念を援用したものである。
【００３８】すなわち、中国語においては、一般的な子音を声母と呼ぶが、これと対峙する韻母は、ａ、
2015154477.tif 000003
や、ａｎｇ、ｅｎｇ、ｏｎｇ、ｉａｎｇ、ｉｎｇ、ｉｏｎｇ、ｕａｎｇ、ｕｅｎｇ、等のｎｇを含む音のすべてを含んだ概念として成立しており、本来中国語由来の漢字音を扱うのにふさわしい概念である。
【００３９】そして、この中国語の音韻体系と日本漢語の音韻体系のあいだには、相当に明確な対応関係がある。
【００４０】
2015154477.tif 000004
のｎを含む音に日本漢語の「ん」つき母音が対応し、ａｎｇ、ｅｎｇ、ｏｎｇ、ｉａｎｇ、ｉｎｇ、ｉｏｎｇ、ｕａｎｇ、ｕｅｎｇ、等のｎｇを含む音は、日本漢語では基本的に二重母音になる。
【００４１】これ以外に、本来の中国語には、入声が存在し、これは日本に入ったときに、旧仮名遣いのいわゆるフクツチキの音として、たとえば、国籍というように、フクツチキの音で終わる二字音の漢語となった。
【００４２】現在の中国語では、この入声は、単母音と複合母音に吸収され、日本語の漢語では、二字音の漢字となっている。
【００４３】一方、以上のように設定した本発明の母音鍵盤と入力に応じて自動的に交代する子音鍵盤に設定される鍵は、自身は音価を持たず、単に鍵盤の入力に応じた自動的交代を実現するために設定された、いわゆるゼロ子音での母音入力を可能にする子音符と、ｋ、ｓ、ｔ、ｎ、ｈ、ｍ、ｙ、ｒ、ｗ、ｇ、ｚ、ｄ、ｂ、ｐ、の１４鍵、あわせて１５鍵である。
【００４４】ところで、本発明の子音鍵盤の構成は、基本的に特許文献１の場合と同様であるが、母音鍵盤のすべてを広義の母音の入力にあて、子音鍵盤に子音符と五十音図の子音列を構成する９個の清音を入力する子音と４個の濁音を入力する子音、および１個の半濁音を入力する子音を置いた本発明の場合には、このままでは、拗音、促音、鼻音の入力ができない。
【００４５】この拗音、促音、鼻音の入力の困難を解決するために、特許文献１の場合には、その母音鍵盤に、拗音入力のための、形式上の母音鍵である、ｙａ、ｙｕ、ｙｏの３個の鍵と、促音符、鼻音符を置いているのである。
【００４６】これに対して、本発明においては、鍵の押し下げ以外の要素を用いて、拗音、促音、鼻音の入力を行うことによって、母音鍵盤の５個の鍵を省略するのである。
【００４７】すなわち、本発明においては、母音鍵盤の鍵を押し下げた直後に、ポーズをとってから次の子音を入力すると、この母音で終わる仮名と子音で始まる仮名の間に、促音を表示する小型の「っ」が入力され、子音鍵盤の鍵を押し下げた直後に、ポーズをとってから次の母音を入力すると、この子音とこの次の母音で構成される仮名が拗音化し、子音鍵盤に置かれたｎの鍵を押し下げた直後に、やや長いポーズをとって、もう一度同じ鍵を押し下げると、「ん」の字が入力されるように設定するのである。
【００４８】これら、いずれの場合にも形式上の子音鍵盤と母音鍵盤との間の自動交代は維持されるものとする。
【００４９】前二者の場合は、たとえば、やったと入力する場合、一般的な打鍵は、ｙａｔｔａであり、母音で終わる仮名のや（ｙａ）と子音で始まる仮名のた（ｔａ）の間に、促音を指示するｔが入り、しょせき、と入力する場合のｓｙｏは、子音鍵のｓと母音鍵のｏの間にｙが入って、拗音化が行われるので、ポーズが、このｔやｙに相当するものとしてイメージすれば、大きな抵抗はなくて、促音と拗音の入力が行われるものと推測される。
【００５０】これに対して、やや複雑なのが、鼻音の「ｎ」の入力である。
【００５１】本発明においては、母音鍵盤の第一行に、左から順に、ａｎｎ、ｉｎｎ、ｕｎｎ、ｅｎｎ、ｏｎｎ、の鍵を置き、第二行に、ａ、ｉ、ｕ、ｅ、ｏ、の鍵を置き、第三行にａｉ、ｕｉ、ｕｕ、ｅｉ、ｏｕの鍵を置き、子音鍵盤の第一行に、左から順に、子音符、ｋ、ｓ、ｔ、ｎ、の鍵を置き、第二行に、ｈ、ｍ、ｙ、ｒ、ｗ、の鍵を置き、第三行に、ｇ、ｚ、ｄ、ｂ、ｐ、の鍵を置くように設定しているので、子音鍵盤のｎの置かれた位置には、母音鍵盤では、ｏｎｎの鍵が置かれることになる。
【００５２】そこで、より具体的に言えば、子音鍵盤のｎ鍵を押し下げた後に、もう一度同じ鍵を押し下げると、ｎｏｎｎすなわち、「のん」と入力され、ポーズをとって同じ鍵を押し下げると、ｎｙｏｎｎすなわち「にょん」と入力され、長いポーズをとって同じ鍵を押し下げると、ｎ鍵を二度連続押し下げた感覚で、「ん」と入力されることになる。
【００５３】すなわち、「ん」の入力は、感覚的には、ｎ鍵を二度連続押し下げた感覚となるが、この二度の入力は、形式的には、子音鍵の入力ののちに母音鍵の入力がなされたとして処理されるのである。
【００５４】こうして、「ん」の入力には、やや紛らわしい事態が伴うが、そもそも本来の日本語に「にょん」の音が現れることは珍しいと思われる上、日本語で字母「ん」が単独で現れることは劇画などの特殊な表現を除いて、原則的には無い。
【００５５】もともと、「ん」は漢字音を表記するために作られた文字であり、漢字音においては「ん」は常に、ａｎｎ、ｉｎｎ、ｕｎｎ、ｅｎｎ、ｏｎｎ、の形で現れるのである。
【００５６】たとえば、岩波書店の日本古典文学大系に収められた古事記では、その序文約４ページのなかに、混元、乾坤、から始まって、「ん」を含む漢字が約６０個含まれているが、その本文約２９０ページのなかで、その仮名のなかには「ん」は１例も現れず、唯一の例は、応神天皇紀の百済の和邇吉師（王仁）が、論語、千字文を献上したという部分に出てくる漢字の論と文なのである。
【００５７】そこで、実用的な観点から言えば、本発明における「ん」の入力には、ほとんど問題が無いと言えよう。
【００５８】本発明の目的は、この日本語音韻体系の特性を最大限に反映することで、携帯電話で現行の五十音方式が占めているのと同じ位置に立つ、携帯入力電子機器の入力方式を確立することである。
【００５９】今、日本国憲法の序文を対象として、これらの３類の広義の母音の出現率を示すと、以下のようになる。
【００６０】単母音６６例（２６．８３％）、母音プラス「ん」、５９例（２３．９８％）、二重母音７３例（２９．６７％）、現代仮名遣いでクキチツに終わる二音節漢語が４８例（１９．５１％）、総計２４６例。
【００６１】この場合、すでに述べたように森田方式では、母音プラス「ん」を、子音シフト鍵との同時打鍵で呼び出し入力するものとしているが、本発明の場合には、先に述べたような理由で、これらの音を直接に入力できる基本鍵盤に置くことにする。
【００６２】一方、本発明の基本的鍵盤の構成では、とりわけ外来語の表記に必要な小型の母音字、あいうえおが呼び出せないので、このような字体のあいうえおの仮名が入力できる鍵をシフト鍵によって、呼び出すことにする。
【００６３】さらに、本発明の場合には、基本的な字母入力鍵盤に記号入力を設定していないので、このシフト鍵を使って呼び出す二次的な鍵盤に記号入力鍵を設定する必要がある。
【００６４】「図２」に示すのは、この記号入力鍵盤であるが、そこに小型の母音字、あいうえおが呼び出せるように、ａ、ｉ、ｕ、ｅ、ｏ、が置かれ、さらに、外来語の記述の場合に必要なヴの字母の入力を託すためにＶを設定しているが、この記号鍵盤に長音記号を設定するのもまた、外来語の表記のためである。
【００６５】このシフト鍵は、さらに連続して押し下げると、その押し下げ回数に対応して、新しい記号入力鍵盤が呼び出されるが、このシフト鍵の１回から複数回の押下げによって呼び出される字母や記号は、それらを入力すると鍵盤は直ちに基本鍵盤に戻るように設定される。
【００６６】また、この記号鍵盤の内容を画面表示し、画面の鍵の位置に対応する鍵を入力することによって、記号の入力を確実なものにする。
【００６７】日本国憲法序文を例に、以上のような設定を持つ本発明の打鍵数の省略効果を改めて示すと、母音プラス「ん」、５９×２＝１１８、二重母音７３×１＝７３、合計１９１の打鍵数の節約となり、これは１９１÷２４６＝０．７７６４の式によって、ほぼ１０漢字入力するたびに、８回弱打鍵数が減ることになる。
【００６８】こうした数値以上に重要なのは、この入力方式においては、すべての広義の母音が、基本的なあいうえお、の５個の母音と明確な対応関係を持つことであり、このような日本語の音韻体系の特質を反映した入力方式は、著しくそのヒューマンインターフェイスを改善するものと予想できる。
【００６９】また、実際の入力過程に於いては、１、あいうえお、の５種の単母音を含む漢字はそれぞれ２打鍵。２、あん、いん、うん、えん、おん、の５種の広義の母音を含む漢字も２打鍵。３、あい、うい、うう、えい、おう、の５種の広義の母音を含む漢字もそれぞれ２打鍵であり、いずれも仮名入力と同じである。
【００７０】すなわち、旧仮名遣いでフクツチキ、現行仮名遣いでキクチツで終わる本来の漢語の入声の漢字の場合でも、それらは実際には、子音＋母音が二回繰り返されるので、入力のリズムとしては、すべて単音漢字やひらかなと同様の２打鍵で入力できるので、このことは漢字ひいては日本語の入力のリズムを著しく改善するものと思われる。
【００７１】さらに、本発明では、拗音、促音、鼻音（撥音）が打鍵によらないで入力されるので、パーソナルコンピューターの入力の場合とは異なって、入力時に完全に子音鍵と母音鍵の交替がなされるので、入力の動作と鍵盤の自動交替が一致しており、誤入力が少なくなると思われるが、実際に誤入力が起こったときのために、ソフトが不順な入力がなされたと判断した場合には自動的に、入力者がそのように判断した場合には手動によって最後の正規の入力の時点まで戻って不順な入力を取り消すための鍵を設定して置く。
【図面の簡単な説明】
【００７２】
【図１】「図１」は、本発明が提唱する３行５列の基本的字母入力鍵盤における子音字母と広義の母音字母の配置を示す示意図である。
【図２】「図２」は、シフト鍵を何回か押し下げることによって呼び出される記号鍵盤のうち、その最初の一回の押し下げによって呼び出される記号と字母の配置を示す示意図である。
【発明を実施するための形態】
【００７３】携帯電話や小型パーソナルコンピューター等、３行５列の鍵盤を持つ電子機器。
【産業上の利用可能性】
【００７４】本発明は、全面的に日本語の音韻体系に照応する入力方式であり、いわゆる鍵盤アレルギーを解消し、自然なスタンスに立って、思考しながら、感じながらの入力を可能にするので、携帯電話やこの発明によって誕生する３行５列の鍵盤を持つ小型パーソナルコンピューターの市場の創始や拡大に貢献するはずである。
【図１】
2015154477.tif 000005
【図２】
2015154477.tif 000006
【手続補正書】
【提出日】平成26年12月29日(2014.12.29)
【手続補正１】
【補正対象書類名】特許請求の範囲
【補正対象項目名】全文
【補正方法】変更
【補正の内容】
【特許請求の範囲】
【請求項１】
３行５列のアルファベット鍵盤による日本語入力方式において、入力する字母あるいは字母群を母音鍵盤と子音鍵盤に分けて、入力とともにこの二つの鍵盤が自動的に交替する入力方式を採用した場合に、その母音鍵盤に置く鍵を、ａ  ｉ  ｕ  ｅ  ｏ、ａｎｎ  ｉｎｎ  ｕｎｎ  ｅｎｎ  ｏｎｎ、ａｉ  ｕｉ  ｕｕ  ｅｉ  ｏｕ、の１５の鍵から構成した携帯入力電子機器の日本語入力方式において、母音鍵の押し下げが終わった時点で次の子音鍵を押し下げる前にポーズを置くと、鍵盤交替とは無関係に促音記号の小型の「っ」を表示するためのｔが入力され、子音鍵の押し下げが終わった時点で次の母音鍵を押し下げる前にポーズを置くと、鍵盤交替とは無関係に拗音化のためのｙが入力され、子音鍵盤のｎを押し下げた時点でやや長いポーズを置き、母音鍵盤の同じ位置に置かれた母音鍵を押し下げると、鍵盤交替とは無関係にｎｎが入力されるように設定した携帯入力電子機器の日本語入力方式。